(57)【要約】【課題】  医療機関で使用するシステムで登録された食物アレルギー情報の不一致をチェックし、操作者に注意喚起することを目的とする。【解決手段】  患者情報管理装置２で、患者のアレルギー情報の新たな登録又は削除されると、アレルギー情報チェック装置１は、患者のアレルギー情報の新たな登録又は削除を検出し、食事オーダ管理装置４で既に発行された食事に関するオーダのうち、該患者の現在以降の食事内容についても影響を与えるオーダが存在する場合に、その患者の食事についてアレルギー情報を反映させた変更オーダを出力できるようにする。【選択図】  図１
2014071758.tif 000002
【特許請求の範囲】
【請求項１】
患者のアレルギー情報の新たな登録又は削除を検出すると、該患者の食事に関する既に発行されたオーダのうち、該患者の現在以降の食事内容についても影響を与えるオーダが存在する場合に、該患者の食事について前記アレルギー情報を反映させた変更オーダを出力する処理をコンピュータに実行させる
ことを特徴とするアレルギー管理プログラム。
【請求項２】
前記オーダを作成する際に、確定したオーダに登録されたアレルギー情報と患者プロファイルのアレルギー情報とを比較し、合致しない場合は警告を出力する処理をコンピュータに実行させる
請求項１に記載のアレルギー管理プログラム。
【請求項３】
前記変更オーダ情報の内、追加された前記アレルギー情報について強調表示する処理をコンピュータに実行させる
請求項１に記載のアレルギー管理プログラム。
【請求項４】
患者のアレルギー情報の新たな登録又は削除を検出し、
前記患者の食事に関する既に発行されたオーダのうち、該患者の現在以降の食事内容についても影響を与えるオーダが存在する場合に、該患者の食事について前記アレルギー情報を反映させた変更オーダを出力する処理をコンピュータが実行する
ことを特徴とするアレルギー管理方法。
【請求項５】
患者情報管理装置での患者のアレルギー情報の新たな登録又は削除を検出する第１の処理部と、
食事オーダ管理装置が管理する患者の食事に関する既に発行されたオーダのうち、前記該患者の現在以降の食事内容についても影響を与えるオーダが存在するかを判定する第２の処理部と、
前記患者の現在以降の食事内容についても影響を与えるオーダが存在する場合に、該患者の食事について前記アレルギー情報を反映させた変更オーダを出力するための情報を出力する第３の処理部とを備える
アレルギー情報チェック装置。
【発明の詳細な説明】
【技術分野】
【０００１】
本発明は、データベースに登録されたアレルギー情報を管理する技術に関する。
【背景技術】
【０００２】
医療機関では、患者の属性の一部としてアレルギー情報を含むプロファイル情報を患者情報管理システム、医療行為に関して発行される様々なオーダを患者毎に管理する医事オーダ管理システム等が導入されている。
【０００３】
病院の診療部門は、医事オーダ管理システムにより、入院中の患者に提供する食事種（例えば、通常食、検査食、治療食等の種類）を定め、食事に使用する食材等の条件を定めた食事オーダを発行する。発行された食事オーダが給食部門に送信されると、給食部門では、発行された食事オーダに従って患者毎の献立を決定し、調理する。
【０００４】
したがって、診療部門では、患者毎に登録されたアレルギー情報を参照して、アレルギーに関連する食材等を指定した食事オーダを生成している。
【０００５】
なお、患者に提供する食事を管理する栄養管理システムであって、食事種毎に共通の献立や料理毎の禁忌情報を保持しておき、患者毎の食事提供日、食事種、禁忌情報を含む食事箋をもとに共通の献立から提供する献立を決定し、決定した献立に含まれる患者の禁忌情報に一致する料理を抽出し、抽出した料理の代替料理の候補を提供するシステムが知られている。
【０００６】
また、アレルゲン情報管理の手法として、個人毎のアレルギー材料に対する許容値を含むアレルゲン情報データベースと、アレルギー材料を含む給食材料および給食材料の含有量に係る材料情報を給食メニュー毎に管理する材料データベースをもとに、個人毎に、アレルゲン情報を含む給食メニュー情報を提供し、給食材料の代替材料として選択された材料による給食サービスを指示する手法が知られている。
【先行技術文献】
【特許文献】
【０００７】
【特許文献１】特許第４９１６２３８号公報
【特許文献２】特開２００４−２２０１７２号公報
【発明の概要】
【発明が解決しようとする課題】
【０００８】
上述のように、医療機関の診療部門では、食事オーダを生成する際に、各患者のプロファイル情報に含まれるアレルギー情報を参照して、アレルギーに関連する食材等を指定している。食事オーダの発行操作は、１回の食事に対して行われることもあるが、一般的には、数日間や数週間分の複数回の食事に対して発行される。
【０００９】
したがって、食事オーダが発行された後に、患者の自己申告によってアレルギー情報が修正されたり、診療部門での検査等によって患者が気づいていないアレルギー情報が検知されたりして、プロファイル情報に新たなアレルギー情報が追加されたり、登録されていたアレルギー情報が削除されたりすることがある。
【００１０】
患者のプロファイル情報を蓄積するデータベース（プロファイルデータベース）でのアレルギー情報を含むプロファイル情報の修正は、医事オーダ管理システムに通知され、参照可能であるが、既に発行された食事オーダに反映されなかった。また、プロファイル情報のアレルギー情報と食事オーダで指定されているアレルギー情報との整合性をチェックする仕組みがなかった。
【００１１】
そのため、患者の修正済みアレルギー情報が考慮されていない食事オーダが維持され、給食部門等で混乱の原因となっていた。
【００１２】
本発明の目的は、食事オーダの発行後に患者のアレルギー情報が修正された場合に、修正されたアレルギー情報と発行された食事オーダで指定されているアレルギー情報との整合性をチェックして、注意を喚起することができるアレルギー管理プログラム、アレルギー管理方法およびアレルギー情報チェック装置を提供することである。
【課題を解決するための手段】
【００１３】
本発明の一態様として開示するアレルギー管理プログラムは、患者のアレルギー情報の新たな登録又は削除を検出すると、該患者の食事に関する既に発行されたオーダのうち、該患者の現在以降の食事内容についても影響を与えるオーダが存在する場合に、該患者の食事について前記アレルギー情報を反映させた変更オーダを出力する処理をコンピュータに実行させるものである。
【発明の効果】
【００１４】
上記したアレルギー管理プログラムによれば、患者のプロファイル情報に含まれるアレルギー情報が新たに登録または削除された場合に、既に発行された患者の食事のオーダで影響を受けるものを変更することができる。
【図面の簡単な説明】
【００１５】
【図１】開示するアレルギー情報チェック装置の一実施の形態におけるブロック構成例を示す図である。
【図２】一実施の形態におけるプロファイル情報の例を示す図である。
【図３】一実施の形態における入退院オーダ情報の例を示す図である。
【図４】一実施の形態におけるアレルギーマスタのデータ構成例を示す図である。
【図５】一実施の形態における食事オーダ情報の例を示す図である。
【図６】一実施の形態における食事コメントマスタのデータ構成例を示す図である。
【図７】対応情報記憶部に記憶される対応情報の例を示す図である。
【図８】一実施の形態におけるアレルギー情報チェック装置の概要処理フローを示す図である。
【図９】プロファイル情報の変更時のチェック処理におけるチェック画面の例を示す図である。
【図１０】図９に示すチェック画面の一部の表示域例を示す図である。
【図１１】食事オーダ処理に関連する画面の１つである食事オーダ確認画面の例を示す図である。
【図１２】食事オーダ処理に関連する画面の１つである食事オーダ発行画面の例を示す図である。
【図１３】食事オーダ発行時のチェック処理におけるチェック画面の例を示す図である。
【図１４】食事オーダ発行後のチェック処理におけるチェック画面の例を示す図である。
【図１５】一実施の形態におけるプロファイル情報が変更された場合のチェック処理の処理フロー例を示す図である。
【図１６】一実施の形態における食事オーダが発行された場合のチェック処理の処理フロー例を示す図である。
【図１７】一実施の形態におけるアレルギー情報チェック装置のハードウェア構成例を示す図である。
【発明を実施するための形態】
【００１６】
以下、本発明の一態様として開示するアレルギー情報チェック装置について説明する。
【００１７】
図１は、開示するアレルギー情報チェック装置１の一実施の形態におけるブロック構成例を示す図である。
【００１８】
アレルギー情報チェック装置１は、患者のアレルギー情報の新たな登録又は削除を検出すると、該患者の食事に関する既に発行されたオーダのうち、該患者の現在以降の食事内容についても影響を与えるオーダが存在する場合に、該患者の食事について前記アレルギー情報を反映させた変更オーダを出力することが可能なアレルギー管理を実現するものである。
【００１９】
アレルギー情報チェック装置１は、病院の業務を管理するために設けられたコンピュータまたはコンピュータシステム、例えば、患者情報管理装置２、看護管理装置３、食事オーダ管理装置４、入退院オーダ管理装置５等と接続して、これらの装置によって登録されている食物に関するアレルギー情報が一致するかをチェックする装置である。
【００２０】
患者情報管理装置２は、主に病院の事務部門で使用され、受診した患者の個人属性、受診実績等に関する患者毎のプロファイル情報を生成または更新し、プロファイルデータベース（プロファイルＤＢ）６に記録して管理する。
【００２１】
看護管理装置３は、主に病院の診療部門で使用され、患者に対する看護計画、看護実績等を記録した患者毎のアセスメント情報を管理する。看護管理装置３は、プロファイルデータベース６に記憶されているプロファイル情報を更新するプロファイル情報更新処理の機能を有する。
【００２２】
本実施の形態において、食事オーダ管理装置４、入退院オーダ管理装置５およびオーダデータベース（オーダＤＢ）７は、患者に対する種々の医療行為のオーダを発行し管理する医事オーダ管理システムに含まれる。
【００２３】
食事オーダ管理装置４は、主に病院の診療部門で使用され、食事オーダ発行処理機能を有し、入院中の患者に提供する食事内容、提供計画、禁忌食材に関する指定（アレルギー情報）を示す食事オーダを発行し、または発行済みの食事オーダの内容を示す食事オーダ情報を更新し、オーダデータベース（オーダＤＢ）７に記録する。
【００２４】
入退院オーダ管理装置５は、主に病院の診療部門で使用され、入院オーダまたは退院オーダの発行処理機能を有し、患者の入院または退院の日付等を示すに入院オーダまたは退院オーダを発行し、または発行済みの入院オーダまたは退院オーダの内容を示す入退院オーダ情報を更新し、オーダデータベース（オーダＤＢ）７に記録する。
【００２５】
プロファイルデータベース６は、患者毎のプロファイル情報を記録する。プロファイルデータベース６は、アレルギーマスタ６１を備える。アレルギーマスタ６１は、プロファイルデータベース６のプロファイル情報に設定されるアレルギー情報のマスタデータであり、アレルギー症状を発生させる可能性がある食材（アレルゲン）が登録されている。プロファイルデータベース６に記録されている各患者のプロファイル情報には、アレルギーマスタ６１を参照して登録された食物に関するアレルギー情報が含まれることがある。
【００２６】
オーダデータベース７は、医事管理システムで発行された種々のオーダの内容を示すオーダ情報を記憶し、少なくとも食事オーダ情報および入退院オーダ情報を記憶する。オーダデータベース７は、食事コメントマスタ７１を備える。食事コメントマスタ７１は、食事オーダに設定されるコメントのマスタデータであり、食事に関する特記事項が登録されている。食事に関する特記事項には、患者の禁忌食材（食物アレルギー情報）を示すコメントが含まれることがある。
【００２７】
なお、図１に示す構成例において、看護管理装置３は、必須の構成要素ではなく、単に、プロファイルデータベース６のプロファイル情報が、患者情報管理装置２以外の装置からも更新されることを表すものである。
【００２８】
アレルギー情報チェック装置１は、プロファイル更新検出部１１、チェック対象判定部１２、食事オーダ取得部１３、プロファイル取得部１４、アレルギー情報照合部１５、チェック画面表示部１６、および対応情報記憶部１７を備える。
【００２９】
プロファイル更新検出部１１は、患者情報管理装置２または看護管理装置３によってプロファイルデータベース６に記憶されている患者のプロファイル情報に含まれるアレルギー情報が更新されたか、すなわちアレルギー情報が追加または削除されたかを検出する。
【００３０】
チェック対象判定部１２は、アレルギー情報の更新が検出されたプロファイル情報に係る患者が、アレルギーチェックの対象者かを判定する。対象者となる患者は、入院中または入院予定の患者であり、チェック対象判定部１２は、オーダデータベース７の入退院オーダ情報を参照し、患者が入院中または入院予定であればアレルギーチェックの対象者と判定する。
【００３１】
食事オーダ取得部１３は、患者情報管理装置２によってプロファイル情報のアレルギー情報が更新された場合または食事オーダ管理装置４によって食事オーダの発行処理や変更処理が起動された場合に、食事オーダ管理装置４もしくはオーダデータベース７から対象者である患者の食事オーダ情報を取得する。
【００３２】
プロファイル取得部１４は、プロファイルデータベース６から対象者である患者のプロファイル情報を取得する。
【００３３】
アレルギー情報照合部１５は、プロファイル情報に含まれるアレルギー情報と食事オーダ情報のコメントに含まれるアレルギー情報とを照合し、両アレルギー情報が不一致であるかを判定する。または、アレルギー情報照合部１５は、発行確定が指示された食事オーダのアレルギー情報と現在以降に配膳される有効な食事オーダのアレルギー情報とを照合し、両アレルギー情報が不一致であるかを判定する。
【００３４】
チェック画面表示部１６は、プロファイル情報に含まれるアレルギー情報および食事オーダ情報のコメントに含まれるアレルギー情報を共に表示し、さらに、両アレルギー情報が不一致と判定された場合に、両アレルギー情報の不一致のために食事オーダの内容確認や食事オーダの修正を促すメッセージを表示するチェック画面を、操作者の端末装置（図１で図示しない）に表示する。
【００３５】
対応情報記憶部１７は、アレルギーマスタ６１に登録されているアレルギー情報と、食事コメントマスタ７１に登録されているアレルギーに関するコメント情報との紐付けを示す対応情報を記憶する。
【００３６】
図２は、プロファイル情報の例を示す図である。
【００３７】
図２（Ａ）は、プロファイル情報のデータ構成例を示す図である。プロファイル情報は、「患者ＩＤ（ＰＩＤ）」、「患者氏名」、「アレルギー情報」等のデータ項目を有する。「患者ＩＤ（ＰＩＤ）」は患者の識別番号である。「アレルギー情報」は、患者がアレルギー症状を引き起こす食材（アレルゲン）を示す。
【００３８】
図２（Ｂ）は、プロファイル情報のアレルギー情報の例を示す図である。アレルギー情報は、さらに、「アレルギーコード」、「食材名」のデータ項目を有する。「属性」は、アレルギーの種類を示し、食物、薬物の種別が記録される。「アレルギーコード」および「食材名」には、患者にアレルギー症状を生じさせる食材（アレルゲン）が記録される。「アレルギーコード」および「食材名」は、後述するアレルギーマスタ６１の「アレルギーコード」および「食材名」が参照されて記録される。プロファイル情報には、１または複数のアレルギー情報（食材）が登録可能である。
【００３９】
図３は、オーダデータベースの入退院オーダ情報の例を示す図である。
【００４０】
図３（Ａ）は、プロファイル情報のデータ構成例を示す図である。プロファイル情報は、「患者ＩＤ（ＰＩＤ）」、「オーダ種コード」、「オーダ種名」、「日付」等のデータ項目を有する。「患者ＩＤ（ＰＩＤ）」は患者の識別番号である。「オーダ種コード」はオーダの種別（入院、退院）を識別するコードである。「日付」は、記録されたオーダ種が実施される日付、つまり「オーダ種別」が“入院”のオーダでは入院の日付が設定され、「オーダ種別」が“退院”のオーダでは退院の日付が設定される。
【００４１】
図３（Ｂ）は、「オーダ種コード」と「オーダ種名」の対応例を示す図である。図３（Ｂ）に示す例では、「オーダ種コード」の“Ｃ００１”は“入院”を、“Ｃ００２”は“退院”をそれぞれ示している。すなわち、入退院オーダ情報に、“Ｃ００１”が記録されていればそのオーダ（入院オーダ）の「日付」が入院日または入院予定日となり、“Ｃ００２”が記録されていれば、そのオーダ（退院オーダ）の「日付」が退院日または退院予定日となる。
【００４２】
図４は、アレルギーマスタ６１のデータ構成例を示す図である。
【００４３】
アレルギーマスタ６１には、アレルギー症状を引き起こす可能性がある食材（アレルゲン）の名称を示す「食材名」と、該食材を識別するコードである「アレルギーコード」との組が登録されている。
【００４４】
図５は、食事オーダ情報の例を示す図である。
【００４５】
図５に示す食事オーダ情報は、ひとりの患者の１回の食事オーダの情報である。
【００４６】
食事オーダ情報は、「食種」、「配膳開始」、「配膳場所」、「食事内容に関するコメント」等のデータ項目を有する。
【００４７】
「食種」は、提供される食事の種類を示し、一般食、治療食、軟食（おかゆ）、欠食等が設定される。「配膳開始」は、食事が提供される日付と区分（朝、昼、夕等）を示し、「配膳場所」は、食事が提供される場所を示す。
【００４８】
「食事内容に関するコメント」は、食事内容に関する特記であり、例えば、提供する食品、提供する量、食物アレルギー情報等のコメントが設定される。「食事内容に関するコメント」は、後述する食事コメントマスタ７１の「コメントコード」および「コメント」が参照されて設定される。食事オーダ情報の「食事内容に関するコメント」として、１または複数のコメントが設定可能である。
【００４９】
図６は、食事コメントマスタ７１のデータ構成例を示す図である。
【００５０】
食事コメントマスタ７１では、食事内容に関する特記事項を示す「コメント」と、コメントを識別するコードである「コメントコード」との組が登録されている。図５に示すデータ構成例は、食事コメントマスタ７１のコメントの一部として、食物アレルギー情報に関するコメント例を表している。
【００５１】
図７は、対応情報記憶部１７に記憶される対応情報の例を示す図である。
【００５２】
対応情報は、アレルギーマスタ６１のアレルギーコードと、食事コメントマスタ７１のコメントコードとの紐付けを示す。図７に示す対応情報の例では、例えば、食事コメントマスタ７１のコメントコードの“ＤＣ８００００１（卵アレルギー）”とアレルギーマスタ６１のアレルギーコードの“Ａ００１（卵）”とが紐付けられていることを表している。
【００５３】
次に、アレルギー情報チェック装置１の処理の流れを、図８を用いて、プロファイル情報の変更時、食事オーダの発行時、食事オーダの発行後の３つの場合に分けて概説する。
【００５４】
図８は、アレルギー情報チェック装置１の概要処理フローを示す図である。
［プロファイル情報の変更時］
患者情報管理装置２のプロファイル画面、または、看護管理装置３のアセスメント画面から、利用者がプロファイルデータベース６の患者のアレルギー情報を更新したとする。
【００５５】
なお、患者情報管理装置２のプロファイル画面、看護管理装置３のアセスメント画面による患者のプロファイル情報の更新処理は、一般的なデータベースのデータ更新手法によって実施可能であるので、詳細な説明は省略する。
【００５６】
アレルギー情報チェック装置１において、プロファイル更新検出部１１が、プロファイルデータベース６に記憶されているプロファイル情報に含まれるアレルギー情報（以下、プロファイルのアレルギー情報とよぶ）の更新を監視し、更新されたプロファイル情報を検出する（ステップＳ１）。
【００５７】
チェック対象判定部１２が、オーダデータベース７の入退院オーダ情報に記録された入院日、退院日の情報から、患者が入院中または入院予定であるかをチェックし、入院中または入院予定の患者を対象者と判定する（ステップＳ２）。チェック対象判定部１２が、その患者に係る入退院オーダ情報に退院オーダが存在しない場合に、入院オーダの「日付」すなわち入院日が現在日以前（過去）であれば入院中と判定し、入院日が現在日より以降（未来）であれば入院予定と判定する。
【００５８】
次に、食事オーダ取得部１３が、対象者である患者の現在以降で有効な食事オーダ情報（第１の食事オーダ情報）をオーダデータベース７から取得する（ステップＳ３）。
【００５９】
現在以降の有効な食事オーダ情報（第１の食事オーダ情報）とは、現在日およびそれ以降に提供（配膳）される食事オーダに関する情報であり、配膳開始の日付が過去であっても現在以降も有効な指示である食事オーダの情報を含む。また、現在以降の有効な食事オーダ情報に、現在発行処理中または変更中の食事オーダの情報を含む。
【００６０】
さらに、プロファイル取得部１４が、患者のプロファイル情報をプロファイルデータベース６から取得する（ステップＳ４）。
【００６１】
チェック画面表示部１６は、操作者が食事オーダ発行の権限を有しているかをチェックし（ステップＳ５）、食事オーダ発行の権限の有無に対応して発行操作を有効／無効に設定したチェック画面１００を表示する（ステップＳ６）。
【００６２】
図９は、チェック画面１００の例を示す図であり、図１０は、チェック画面１００の一部の表示域の例を示す図である。
【００６３】
チェック画面１００は、メッセージ表示域１０１、プロファイル表示域１０３、食事オーダ表示域１０５、食事オーダ処理移行ボタン１０７、終了ボタン１０９を備える。
【００６４】
メッセージ表示域１０１は注意メッセージを表示する領域、プロファイル表示域１０３はプロファイルのアレルギー情報を表示する領域、食事オーダ表示域１０５は、食事オーダの内容を表示する領域である。
【００６５】
チェック画面１００に「移動食事カレンダ」ボタンとして表す食事オーダ処理移行ボタン１０７は、食事オーダの処理への移行を指示する指示ボタンであり、「閉じる」ボタンとして表す終了ボタン１０９は、チェック画面１００の表示終了を指示する指示ボタンである。
【００６６】
チェック画面表示部１６は、プロファイルのアレルギー情報が更新された時に、患者が入院予定または入院中である場合に、チェック画面１００を表示し、操作者が食事オーダ発行の権限を持つと判断したときは、食事オーダ処理移行ボタン１０７の選択を有効に設定し、操作者が食事オーダ発行の権限を持たないと判断したときは、食事オーダ処理移行ボタン１０７の選択を無効に設定する。
【００６７】
さらに、チェック画面表示部１６は、メッセージ表示域１０１に、プロファイル情報が更新された旨、食事オーダの内容確認または修正、関連部門への連絡等を促す旨の注意メッセージを表示する。
【００６８】
さらに、チェック画面表示部１６は、プロファイル表示領域１０３に、プロファイル情報の「アレルギー情報」の「食材名」に記録されている食材を全て表示し、食事オーダ表示域１０５に、現在以降の有効な食事オーダの内容をであって「食事内容に関するコメント」を含む内容を表示する。チェック画面表示部１６は、食事オーダのアレルギーコメントを一般表示色と異なる表示色で強調表示することができる。
【００６９】
図１０（Ａ）は、チェック画面１００のプロファイル表示域１０３を拡大して示す図であり、図９（Ｂ）は、チェック画面１００の食事オーダ表示域１０５を拡大して示す図である。チェック画面１００のプロファイル表示域１０３には、プロファイルのアレルギー情報である“えび、卵、乳製品、小麦”が表示され、食事オーダ表示域１０５には、３回分の食事オーダの内容が表示され、コメントには、食事オーダのアレルギーコメントの“卵アレルギー、小麦アレルギー、乳製品アレルギー、キウイフルーツアレルギー”が含まれて表示されている。
【００７０】
すなわち、ステップＳ５の処理で、アレルギー情報照合部１５が、プロファイルのアレルギー情報の“えび、卵、乳製品、小麦”と食事オーダのアレルギーコメントの“卵アレルギー、小麦アレルギー、乳製品アレルギー、キウイフルーツアレルギー”とを照合し、アレルギーコメントの“キウイアレルギー”を示すコメントコード“ＤＣ８０００１２”に対応するアレルギーコードが存在しないことを利用者が確認できる。利用者が確認した上で、プロファイルのアレルギー情報と食事オーダのアレルギーコメントが不一致であると判断した場合に食事オーダの修正が行なわれる。
［食事オーダ発行時］
チェック画面１００の食事オーダ処理移行ボタン１０７が押下されると、食事オーダ管理装置４による食事オーダ処理が開示され、食事オーダ処理に関連する画面が表示される。
【００７１】
図１１は、食事オーダ処理に関連する画面の１つである食事オーダ確認画面１１０の例を示す図である。
食事オーダ確認画面１１０は、患者毎の現在日以降で有効な食事オーダの内容を、日付と食事区分（朝、昼、夕）のカレンダ形式で表示するカレンダ表示域１１１と、カレンダ表示域１１１で食事オーダを選択すると、選択された食事オーダの内容を表示する食事情報表示域１１３とを備える。食事情報表示域１１３にも、食事オーダの内容としてアレルギーコメントが表示される。
【００７２】
食事オーダ確認画面１１０において、カレンダ表示域１１１に表示された食事オーダのマスを、マウスクリック等によりコピー＆ペースト操作することによって、貼り付けられた日付および食事区分のマスで指定される配膳時間かつ選択された食事オーダの内容の新たな食事オーダの発行が可能である。選択された食事オーダのマスが別のマスに貼り付けられると、食事オーダの発行が確定される。
【００７３】
図１２は、食事オーダ処理に関連する画面の１つである食事オーダ発行画面１２０の例を示す図である。
【００７４】
食事オーダ発行画面１２０は、患者毎に食事オーダの内容を入力して、食事オーダを発行するための画面である。食事オーダ発行画面１２０には、食事オーダの内容を入力する入力域の１つとして、アレルギー情報に関するコメントを入力するコメント入力域１２１を備え、入力した内容で食事オーダの発行を確定する確定ボタン１２３、プロファイルデータベース６に記録されているプロファイルのアレルギー情報を表示するプロファイル表示域１２５を備える。
【００７５】
食事オーダ発行画面１２０の入力域１２１等に食事オーダの指定が入力され、確定ボタン１２３が押下されると、食事オーダの発行が確定される。
【００７６】
食事オーダ管理装置４において新たな食事オーダ発行の確定が指示された場合に、アレルギー情報チェック装置１において、食事オーダ情報取得部１３は、食事オーダ管理装置４から、オーダ発行の確定が指示された食事オーダの内容を示す食事オーダ情報（第２の食事オーダ情報）を取得する（ステップＳ７）。なお、食事オーダ管理装置４から取得するこの第２の食事オーダ情報は、未だオーダデータベース７に登録されていない情報である。
【００７７】
プロファイル取得部１４が、プロファイルデータベース６から対象者のプロファイルのアレルギー情報を取得する（ステップＳ４）。
【００７８】
アレルギー情報照合部１５が、対応情報記憶部１７の対応情報をもとに、プロファイルのアレルギー情報と、オーダ発行の確定が指示された食事オーダ情報（第２の食事オーダ情報）のアレルギーコメントとを照合し、両アレルギー情報に不一致のデータがあるかをチェックし（ステップＳ８）、両アレルギー情報に不一致のデータがあれば、チェック画面表示部１６が、チェック画面１３０を表示する（ステップＳ６）。
【００７９】
図１４は、チェック画面１３０の例を示す図である。
【００８０】
チェック画面１３０は、メッセージ表示域１３１、プロファイル表示域１３３、食事オーダ表示域１３５、確認ボタン１３７、中断ボタン１３９を備える。メッセージ表示域１３１は注意メッセージを表示する領域、プロファイル表示域１３３はプロファイルのアレルギー情報を表示する領域、食事オーダ表示域１３５は食事オーダの内容を表示する領域である。
【００８１】
チェック画面１３０で「はい」ボタンで表す確認ボタン１３７は、食事オーダ表示域１３５に表示された内容の食事オーダの発行を確認する指示ボタンであり、「いいえ」ボタンで表す中断ボタン１３９は、食事オーダ表示域１３５の内容による食事オーダの発行を中断し、図１１または図１２に示す画面に戻る指示ボタンである。
【００８２】
チェック画面表示部１６は、プロファイルのアレルギー情報と今回オーダ発行の確定が指示された食事オーダ情報のアレルギーコメントとが不一致である場合に、チェック画面１３０を表示し、メッセージ表示域１３１に、プロファイルのアレルギー情報と今回発行しようとする食事オーダのアレルギーコメントが不一致である旨、入力された食事オーダの内容確認を促す旨、プロファイルに登録されているアレルギー情報の登録漏れが無いか確認を促す旨の注意メッセージを表示する。
【００８３】
さらに、チェック画面表示部１６は、プロファイル表示域１３３に、プロファイル情報の「アレルギー情報」の「食材名」に記録されている食材を全て表示し、食事オーダ表示域１３５に、今回オーダ発行の対象となっている食事オーダの内容であって「食事内容に関するコメント」を含む内容を表示する。
【００８４】
チェック画面１３０のプロファイル表示域１３３には、プロファイルのアレルギー情報である“えび、卵、乳製品、小麦”が表示され、食事オーダ表示域１３５には、今回発行の対象である食事オーダの内容が表示され、コメントには、食事オーダのアレルギーコメントの“卵アレルギー、小麦アレルギー”が含まれて表示されている。
【００８５】
すなわち、アレルギー情報照合部１５が、プロファイルのアレルギー情報の“えび、卵、乳製品、小麦”と食事オーダのアレルギーコメントの“卵アレルギー、小麦アレルギー”とを照合し、アレルギー情報の“えび、乳製品”を示すアレルギーコード“Ａ００９、Ａ００５”に対応するコメントコードが存在せず、不一致と判断した結果を受けて、チェック画面１３０が表示されている。
［食事オーダ発行後］
チェック画面１３０の確認ボタン１３７が押下された場合、もしくは食事オーダ発行時のチェックで不一致チェックで不一致が存在しない判定された場合に、食事オーダ発行後のチェック処理として、ステップＳ３の処理が実行される。
【００８６】
アレルギー情報チェック装置１の食事オーダ取得部１３が、オーダデータベース７に記録されている、対象者である患者の現在以降で有効な食事オーダの食事オーダ情報（第１の食事オーダ情報）を取得する（ステップＳ３）。
【００８７】
アレルギー情報照合部１５が、今回発行が確定した食事オーダ（第２の食事オーダ情報）のアレルギーコメントと現在以降の有効な全ての食事オーダ（第１の食事オーダ情報）のアレルギーコメントとを照合し、アレルギーコメントが不一致である食事データがあるかをチェックし（ステップＳ９）、アレルギーコメントが不一致の食事データがあれば、チェック画面表示部１６がチェック画面１４０を表示する（ステップＳ６）。
【００８８】
図１４は、チェック画面１４０の例を示す図である。
【００８９】
チェック画面１４０は、メッセージ表示域１４１、プロファイル表示域１４３、食事オーダ表示域１４５、終了ボタン１４７を備える。メッセージ表示域１４１は注意メッセージを表示する領域、プロファイル表示域１４３はプロファイルのアレルギー情報を表示する領域、食事オーダ表示域１４５は食事オーダの内容を表示する領域である。チェック画面１４０で「閉じる」ボタンで表す終了ボタン１４７は、チェック画面１４０の表示の終了の指示ボタンである。
【００９０】
チェック画面表示部１６は、今回発行が確定した食事オーダのアレルギーコメントと現在以降の有効な食事オーダのアレルギーコメントとが不一致である場合に、チェック画面１４０を表示し、メッセージ表示域１４１に、アレルギーコメントが不一致の食事オーダが存在する旨、既に登録されている食事オーダの内容を確認、関係部門への通知を促す旨の注意メッセージを表示する。すなわち、表示さる食事オーダは、前述の第１の食事オーダ情報および第２の食事オーダ情報のものとなる。
【００９１】
さらに、チェック画面表示部１６は、プロファイル表示域１４３に、プロファイル情報の「アレルギー情報」の「食材名」に記録されている全ての食材“えび、卵、乳製品、小麦”が表示される。
【００９２】
チェック画面表示部１６は、食事オーダ表示域１４５に、現在以降の有効な４回分の食事オーダの内容を表示する。
【００９３】
チェック画面１４０では、第１番目の「０７月０８日  朝」に配膳開始の食事オーダのアレルギーコメントが“卵アレルギー”、第２番目の「０７月１８日  夕」に配膳開始の食事オーダのアレルギーコメントが“卵アレルギー、小麦アレルギー、乳製品アレルギー、えびアレルギー”、第３番目の「０７月１９日  昼」に配膳開始の食事オーダはアレルギーコメントがなく、第４番目の「０７月２１日  夕」に配膳開始の食事オーダのアレルギーコメントが“卵アレルギー、小麦アレルギー、乳製品アレルギー、キウイフルーツアレルギー”である。したがって、これらの食事オーダのアレルギーコメント（コメントコード）が不一致となっている。アレルギー情報照合部１５が、４つの食事オーダのアレルギーコードに不一致があると判定した結果を受けて、チェック画面１４０が表示されている。チェック画面１４０の終了ボタン１４７が押下されると、チェック処理が終了する。
【００９４】
図１５および図１６は、アレルギー情報チェック装置１の一実施の形態における処理フローを示す図である。
【００９５】
図１５は、プロファイル情報が変更された場合のチェック処理の処理フロー例を示す。
【００９６】
プロファイル更新検出部１１は、プロファイルデータベース６に記憶されているプロファイル情報のアレルギー情報に関するデータ項目の更新が検出され、更新されたデータ項目にチェック対象となるデータ項目（食物アレルギー項目）があるかを判定する（ステップＳ１１）。プロファイル更新検出部１１は、患者情報管理装置２のプロファイル画面において、患者プロファイルのアレルギー情報や注意情報のデータが入力または更新され、更新処理が確定されると、その更新処理の確定を検出する。または、プロファイル更新検出部１１は、プロファイル情報の更新を検出する検出ツールから、更新処理の確定の通知を受けてもよい。
【００９７】
更新されたデータ項目にチェック対象となるデータ項目があれば（ステップＳ１１のＹ）、チェック対象判定部１２は、オーダデータベース７の入退院オーダ情報に記録されている入院オーダ、退院オーダから、患者が入院中かまたは入院予定の患者であるかを判定する（ステップＳ１２）。患者が入院中かまたは入院予定であれば（ステップＳ１２のＹ）、ステップＳ１３の処理へ進む。
【００９８】
更新されたデータ項目にチェック対象となるデータ項目がない場合（ステップＳ１１のＮ）、または、患者が入院中かまたは入院予定ではない場合（ステップＳ１２のＮ）は、処理を終了する。
【００９９】
食事オーダ取得部１３は、更新されたプロファイル情報の患者ＩＤをもとに、オーダデータベース７から、該当する患者について、現在以降で有効な食事オーダ情報を取得する（ステップＳ１３）。さらに、プロファイル取得部１４は、プロファイルデータベース６から、更新されたプロファイル情報を取得する（ステップＳ１４）。
【０１００】
チェック対象判定部１２は、実行中のシステム（患者情報管理装置２、看護管理装置３、または食事オーダ管理装置４）から操作者の食事オーダ発行権限の有無を取得し、操作者が食事オーダ発行権限の有無を判定する（ステップＳ１５）。操作者が食事オーダ発行権限を有していれば（ステップＳ１５のＹ）、チェック画面表示部１６は、プロファイルのアレルギー情報、食事オーダ情報、両アレルギー情報の不一致に対する注意メッセージを表示し、食事オーダ処理への移行を有効にしたチェック画面１００を表示する（ステップＳ１６）。
【０１０１】
表示中のチェック画面１００で、終了ボタン１０９が押下されたら（ステップＳ１７のＹ）、チェック画面表示部１６は、処理を終了し、表示中のチェック画面１００で、食事オーダ処理移行ボタン１０７が押下されたら（ステップＳ１８のＹ）、食事オーダ管理装置４の食事オーダ処理へ処理が移行し（ステップＳ１９）、処理を終了する。
【０１０２】
ステップＳ１５の処理で、操作者が食事オーダ発行権限を有していなければ（ステップＳ１５のＮ）、チェック画面表示部１６は、食事オーダ処理への移行を無効にしたチェック画面１００を表示し（ステップＳ１１０）、終了ボタン１０９が押下されたら（ステップＳ１１１のＹ）、処理を終了する。
【０１０３】
図１６は、食事オーダが発行された場合のチェック処理の処理フロー例を示す。
【０１０４】
食事オーダ情報取得部１３は、食事オーダ管理装置４において、食事オーダ確認画面１１０で登録済みの食事オーダのデータが複写されて他の日付の配膳区分に貼り付けられ、または、食事オーダ発行画面１２０で食事情報が入力されて食事オーダ発行を指示する確定ボタン１２３が押下されて、食事オーダの確定を検出した場合に（ステップＳ２１のＹ）、今回オーダ発行の確定が指示された食事オーダに係る患者ＩＤをもとに、プロファイルデータベース６から該当する患者のプロファイル情報を取得する（ステップＳ２２）。
【０１０５】
アレルギー情報照合部１５は、プロファイルのアレルギー情報と、今回オーダ発行の確定が指示された食事オーダのアレルギーコメントとに不一致があるかをチェックする（ステップＳ２３）。アレルギー情報とアレルギーコメントに不一致があれば（ステップＳ２３のＹ）、チェック画面表示部１６は、チェック画面１３０を表示する（ステップＳ２４）。チェック画面表示部１６は、チェック画面１３０の指示ボタンが押下されたかを判定し（ステップＳ２５）、確認ボタン１３７が押下された場合は（ステップＳ２５の「確認ボタン」押下」）、ステップＳ２７の処理へ進み、中断ボタン１３９が押下された場合は（ステップＳ２５の「中断ボタン」押下）、食事オーダ管理装置４の食事オーダ処理へ戻る。
【０１０６】
アレルギー情報とアレルギーコメントに不一致がなければ（ステップＳ２３のＮ）、食事オーダ情報取得部１３は、患者の現在以降の有効な食事オーダ情報を全て取得する（ステップＳ２７）。アレルギー情報照合部１５は、今回確定した食事オーダのアレルギーコメントと現在以降の有効な食事オーダのアレルギーコメントとに不一致があるかをチェックし（ステップＳ２８）、両アレルギーコメントに不一致がある場合に（ステップＳ２８のＹ）、チェック画面表示部１６は、チェック画面１４０を表示する（ステップＳ２９）。
【０１０７】
チェック画面表示部１６は、チェック画面１４０の終了ボタン１４７が押下されたかを判定し（ステップＳ２１０）、終了ボタン１４７が押下された場合は（ステップＳ２１０のＹ）、処理を終了する。
【０１０８】
以上説明したアレルギー情報チェック装置１は、図１に示す処理部を備える専用ハードウェアとして実施することができる。
【０１０９】
また、アレルギー情報チェック装置１を、図１８に示すような、ＣＰＵ３０１、メモリ３０２、記憶装置（ハードディスク）３０３、入力装置（キーボード）３０４、表示装置（ディスプレイ）３０５、通信制御装置３０６が内部のネットワーク等で接続されたコンピュータ３００として実施することができる。
【０１１０】
さらに、アレルギー情報チェック装置１を、コンピュータ３００で実行可能なプログラムとして実施することができる。この場合に、図１に示すアレルギー情報チェック装置１の処理部の機能を実現するプログラムを実装し、コンピュータ３００上で実行することにより、実施する。
【０１１１】
すなわち、図１に示したプロファイル更新検出部１１、チェック対象判定部１２、食事オーダ取得部１３、プロファイル取得部１４、アレルギー情報照合部１５、チェック画面表示部１６の機能をコンピュータに実行させる実行プログラムをコンピュータ３００に読み込ませ、実行させることによって，アレルギー情報チェック装置１を実現することができる。
【０１１２】
この場合に、コンピュータ３００のＣＰＵ３０１が、例えば、
・  上記の実行プログラムおよび対応情報をファイルとしてハードディスク３０３に格納する、
・  キーボード３０４から実行プログラムを起動し、起動された実行プログラムが、メモリ３０２にロードされ、必要に応じて対応情報をハードディスク３０３からメモリ３０２に読み出しながら処理を進める、
・  最後に出力結果である画面をディスプレイ３０５に表示する、
といった方法で処理を実行する。
【０１１３】
なお、実行プログラムは、ＣＤ−ＲＯＭ、ＣＤ−ＲＷ、ＤＶＤ−Ｒ、ＤＶＤ−ＲＡＭ、ＤＶＤ−ＲＷ等やフレキシブルディスク等の記録媒体だけでなく、通信回線の先に備えられた他の記憶装置やコンピュータのハードディスク等に記憶されるものであってもよい。
【０１１４】
なお、アレルギー情報チェック装置１を構成する要素は、任意の組合せで実現されてもよい。複数の構成要素が１つの部材として実現されてもよく、１つの構成要素が複数の部材から構成されてもよい。また、アレルギー情報チェック装置１は、上述した実施形態に限定されず、本発明の要旨を逸脱しない範囲において各種の改良および変更を行ってもよいことは当然である。
【０１１５】
以上説明したように、開示したアレルギー情報チェック装置１によれば、患者のアレルギー情報が変更された場合に、その患者について既に発行された食事オーダに影響を与えるアレルギー情報が更新されたことを通知すると共に両アレルギー情報の内容を表示し、食事オーダの発行者に対して食事オーダの確認や修正の必要性について注意喚起をすることができる。
【０１１６】
これにより、発行した食事オーダのアレルギーコメントの指定にミスが生じている場合等、異なるシステムや処理によって指定されたアレルギー情報が不一致となっている状態を操作者に通知し、食事オーダの内容確認や関係部門への通知の必要性を操作者に気づかせることができ、異なるアレルギー情報の指定による混乱や事故を防ぐことができる。
【０１１７】
上記の実施態様において開示した本発明の特徴を以下に列記する。
【０１１８】
（付記１）  患者のアレルギー情報の新たな登録又は削除を検出すると、該患者の食事に関する既に発行されたオーダのうち、該患者の現在以降の食事内容についても影響を与えるオーダが存在する場合に、該患者の食事について前記アレルギー情報を反映させた変更オーダを出力する
処理をコンピュータに実行させることを特徴とするアレルギー管理プログラム。
【０１１９】
（付記２）  前記オーダを作成する際に、確定したオーダに登録されたアレルギー情報と患者プロファイルのアレルギー情報とを比較し、合致しない場合は警告を出力する処理をコンピュータに実行させる前記付記１に記載のアレルギー管理プログラム。
【０１２０】
（付記３）  前記変更オーダ情報の内、追加された前記アレルギー情報について強調表示する処理をコンピュータに実行させる前記付記１に記載のアレルギー管理プログラム。
【０１２１】
（付記４）  患者のプロファイル情報を管理する患者情報管理装置、および患者に提供される食事の指示を示す食事オーダを管理する食事オーダ管理装置と接続するアレルギー情報チェック装置として機能するコンピュータが実行する方法であって、
前記コンピュータが、
患者のアレルギー情報の新たな登録又は削除を検出し、
前記患者の食事に関する既に発行されたオーダのうち、該患者の現在以降の食事内容についても影響を与えるオーダが存在する場合に、該患者の食事について前記アレルギー情報を反映させた変更オーダを出力する
ことを特徴とするアレルギー管理方法。
【０１２２】
（付記５）  患者のプロファイル情報を管理する患者情報管理装置、および患者に提供される食事の指示を示す食事オーダを管理する食事オーダ管理装置と接続するアレルギー情報チェック装置であって、
前記患者情報管理装置が管理する患者のアレルギー情報の新たな登録又は削除を検出するプロファイル更新検出部と、
前記食事オーダ管理装置が管理する前記患者の食事に関する既に発行されたオーダのうち、該患者の現在以降の食事内容についても影響を与えるオーダが存在するかを判定するアレルギー情報照合部と、
前記患者の食事に関する既に発行されたオーダのうち、該患者の現在以降の食事内容についても影響を与えるオーダが存在する場合に、該患者の食事について前記アレルギー情報を反映させた変更オーダを示す情報を出力するチェック画面表示部とを備える
アレルギー情報チェック装置。
【０１２３】
（付記６）  患者のプロファイル情報を管理する患者情報管理装置、および患者に提供される食事の指示を示す食事オーダを管理する食事オーダ管理装置と接続するアレルギー情報チェック装置として機能するコンピュータに、
患者情報管理装置において患者のプロファイル情報に含まれるアレルギー情報が変更された場合に該変更を検出し、
前記患者情報管理装置から、検出された前記プロファイル情報を取得し、
前記食事オーダ管理装置から、前記患者の現在以降において有効な食事オーダに関する第１の食事オーダ情報を取得し、
取得した前記プロファイル情報に含まれるアレルギー情報、取得した前記第１の食事オーダ情報に含まれるアレルギーコメント、および該アレルギー情報と該アレルギーコメントとの不一致を確認する旨の注意メッセージを表示する画面を出力する処理を実行させるためのアレルギー情報チェックプログラム。
【０１２４】
（付記７）  患者のプロファイル情報を管理する患者情報管理装置、および患者に提供される食事の指示を示す食事オーダを管理する食事オーダ管理装置と接続するアレルギー情報チェック装置として機能するコンピュータが実行する方法であって、
前記コンピュータが、
患者情報管理装置において患者のプロファイル情報に含まれるアレルギー情報が変更された場合に該変更を検出し、
前記患者情報管理装置から、検出された前記プロファイル情報を取得し、
前記食事オーダ管理装置から、前記患者の現在以降において有効な食事オーダに関する第１の食事オーダ情報を取得し、
取得した前記プロファイル情報に含まれるアレルギー情報、取得した前記第１の食事オーダ情報に含まれるアレルギーコメント、および該アレルギー情報と該アレルギーコメントとの不一致を確認する旨の注意メッセージを表示する画面を出力する処理を実行する
ことを特徴とするアレルギー情報チェック方法。
【０１２５】
（付記８）  患者のプロファイル情報を管理する患者情報管理装置および患者に提供される食事の指示を示す食事オーダを管理する食事オーダ管理装置と接続するアレルギー情報チェック装置であって、
患者情報管理装置において患者のプロファイル情報に含まれるアレルギー情報が変更された場合に該変更を検出するプロファイル更新検出部と、
前記患者情報管理装置から、検出された前記プロファイル情報を取得するプロファイル情報取得部と、
前記食事オーダ管理装置から、前記患者の現在以降において有効な食事オーダに関する第１の食事オーダ情報を取得する食事オーダ情報取得部と、
取得した前記プロファイル情報に含まれるアレルギー情報、取得した前記第１の食事オーダ情報に含まれるアレルギーコメント、および該アレルギー情報と該アレルギーコメントとの不一致を確認する旨の注意メッセージを表示する画面を出力するチェック画面表示部とを備える
ことを特徴とするアレルギー情報チェック装置。
【０１２６】
（付記９）  プロファイル情報に含まれるアレルギー情報と食事オーダ情報に含まれるアレルギーコメントとに不一致があるかを判定するアレルギー情報照合部を備えて、
前記食事オーダ取得部が、前記食事オーダ管理装置から前記患者の食事オーダとして発行が指示された食事オーダに関する第２の食事オーダ情報を取得し、
前記アレルギー情報照合部が、前記患者のプロファイル情報に含まれるアレルギー情報と、取得した前記第２の食事オーダ情報に含まれるアレルギーコメントとに不一致があるかを判定し、
前記チェック画面表示部が、前記プロファイル情報に含まれるアレルギー情報と、前記第２の食事オーダ情報に含まれるアレルギーコメントとが不一致であると判定した場合に、前記プロファイル情報に含まれるアレルギー情報、前記第２の食事オーダ情報に含まれるアレルギーコメントおよび該アレルギー情報と該アレルギーコメントの不一致を確認する旨の注意メッセージを表示する画面を出力する
ことを特徴とする前記付記８に記載のアレルギー情報チェック装置。
【０１２７】
（付記１０）  前記チェック画面表示部が、前記患者の前記第１の食事オーダ情報に含まれるアレルギーコメント、前記第２の食事オーダ情報に含まれるアレルギーコメント、および、該第１の食事オーダ情報と該第２の食事オーダ情報のアレルギーコメントの不一致を確認する旨の注意メッセージを表示する画面を出力する
ことを特徴とする前記付記８または前記付記９に記載のアレルギー情報チェック装置。
【符号の説明】
【０１２８】
１  アレルギー情報チェック装置
１１  プロファイル更新検出部
１２  チェック対象判定部
１３  食事オーダ取得部
１４  プロファイル取得部
１５  アレルギー情報照合部
１６  チェック画面表示部
１７  対応情報記憶部
２  患者情報管理装置
３  看護管理装置
４  食事オーダ管理装置
５  入退院オーダ管理装置
６  プロファイルデータベース（ＤＢ）
６１  アレルギーマスタ
７  オーダデータベース（ＤＢ）
７１  食事コメントマスタ
【図１】
2014071758.tif 000003
【図２】
2014071758.tif 000004
【図３】
2014071758.tif 000005
【図４】
2014071758.tif 000006
【図５】
2014071758.tif 000007
【図６】
2014071758.tif 000008
【図７】
2014071758.tif 000009
【図８】
2014071758.tif 000010
【図９】
2014071758.tif 000011
【図１０】
2014071758.tif 000012
【図１１】
2014071758.tif 000013
【図１２】
2014071758.tif 000014
【図１３】
2014071758.tif 000015
【図１４】
2014071758.tif 000016
【図１５】
2014071758.tif 000017
【図１６】
2014071758.tif 000018
【図１７】
2014071758.tif 000019